(57)【要約】【課題】従来の紅水晶は、内部及び表面にクラックが発生していることが多くあったが、内部にクラックが発生していてもそのままデザイン性の無い商品として商品化されていた。また表面にクラックが発生していると引っかかりが生じ、滑らかさが無いため不良品となり、原石から所定の形状に加工しても半数は商品化できないという問題点があった。【解決手段】本発明は、紅水晶に発生したクラックに着色したデザイン手段を含浸させたことを特徴とするものであるから、クラックに紅水晶の色と異なる例えば青色や緑色などのデザイン手段を含浸させるとともに、表面に発生したクラックをデザイン手段により滑らかにすることにより、上記従来の課題を解決したものである。【選択図】図１
2019034101.tif 000002
【特許請求の範囲】
【請求項１】
紅水晶に発生したクラックに着色したデザイン手段を含浸させたことを特徴とする紅水晶の加工方法とその紅水晶の加工方法により加工された紅水晶の加工品。
【請求項２】
前記デザイン手段は、大気圧よりも低い状態で含浸される請求項１に記載の紅水晶の加工方法とその紅水晶の加工方法により加工された紅水晶の加工品。
【請求項３】
前記紅水晶に透明樹脂からなる保護手段が被覆されている請求項１又は請求項２のいずれかに記載の紅水晶の加工方法とその紅水晶の加工方法により加工された紅水晶の加工品。
【請求項４】
紅水晶に透明樹脂からなる保護手段が被覆されていることを特徴とする紅水晶の加工方法とその紅水晶の加工方法により加工された紅水晶の加工品。
【発明の詳細な説明】
【技術分野】
【０００１】  本発明は、印材などに使用される紅水晶の加工方法とその紅水晶の加工方法により加工された紅水晶の加工品に関するものである。
【背景技術】
【０００２】  従来より、紅水晶は、内部及び表面にクラックが発生していることが多くあったが、内部にクラックが発生していてもそのままデザイン性の無い商品として商品化されていた。また表面にクラックが発生していると引っかかりが生じ、滑らかさが無いため不良品となり、原石から所定の形状に加工しても半数は商品化できないという問題点があった。【０００３】
【先行技術文献】
【特許文献】
【０００４】
【特許文献１】特開２００９−２６９３２６号公報
【発明の概要】
【発明が解決しようとする課題】
【０００５】  本発明は、上記従来の課題を解決するためになされたものであり、内部に発生したクラックを活用してデザイン性のある印材などの商品を提供することができるとともに、表面にクラックが発生していてもそのクラックを除去して滑らかにし不良品の無い印材などの商品を提供することにある。
【課題を解決するための手段】
【０００６】  上記課題を解決するため、本発明の紅水晶の加工方法とその紅水晶の加工方法により加工された紅水晶の加工品は、紅水晶に発生したクラックに着色したデザイン手段を含浸させたことを特徴とする。
又、本発明にあっては、前記デザイン手段は、大気圧よりも低い状態で含浸されることが望ましい。
又、本発明にあっては、前記紅水晶に透明樹脂からなる保護手段が被覆されていることが望ましい。
本発明の紅水晶の加工方法とその紅水晶の加工方法により加工された紅水晶の加工品は、紅水晶に透明樹脂からなる保護手段が被覆されていることを特徴とする。
【発明の効果】
【０００７】  本発明の紅水晶の加工方法とその紅水晶の加工方法により加工された紅水晶の加工品は、紅水晶に発生したクラックに着色樹脂したデザイン手段を含浸させたことを特徴とするものであるから、クラックに紅水晶の色と異なる例えば青色や緑色や紫色を含浸させることもでき、デザイン性が高くなるという効果と、デザイン手段によりクラックが広がるのを防止することができ、強度をあげることができるとともに、表面に発生したクラックをデザイン手段により除去して滑らかにし不良品の無い印材などの商品にすることができるという効果がある。
又、請求項２のように、前記デザイン手段は、大気圧よりも低い状態で含浸されるものは、クラック内に残留した空気が抜けるので、デザイン手段がクラック内に容易に浸入することができ、デザイン手段が広範囲に広がったものを容易に造ることができるという効果がある。
又、請求項３のように、前記紅水晶に透明樹脂からなる保護手段が被覆されているものは、表面に発生したクラックを透明樹脂により完全に除去して滑らかにし不良品の無い印材などの商品にすることができるという効果と、奥行感があり高級な商品にすることができるという効果がある。
又、請求項４のように、紅水晶に透明樹脂からなる保護手段が被覆されているものは、表面に発生したクラックを透明樹脂により完全に除去して滑らかにし不良品の無い印材などの商品にすることができるという効果と、奥行感があり高級な商品にすることができるという効果がある。
【図面の簡単な説明】
【０００８】
【図１】図１は、本発明の紅水晶の加工方法の概略図。
【図２】図２は、本発明の紅水晶の加工方法の概略図。
【図３】図３は、本発明の紅水晶の加工方法の概略図。
【発明を実施するための形態】
【０００９】  以下、本発明の実施の形態を図１乃至図３に基づいて詳述すると、紅水晶からなる印材１は、印材１を立てた状態で支持する角柱部２が立設された支持手段３に着脱自在に取り付けられている。
【００１０】  支持手段３は、支持部４と連結部５とから断面形状Ｌ字形に、合成樹脂材又は金属材で形成されており、第１の樹脂液タンク６内に上方の開口部６ａから取り出し可能に設けられている。
【００１１】  角柱部２は、印材１の印面１ａよりも小面積の横寸法：５ミリメートル、縦寸法：５ミリメートルの大きさに設定されており、印面１ａも後述する液状の透明樹脂からなる保護手段９で被覆することができるようにしている。
【００１２】  第１の樹脂液タンク６は、合成樹脂材又は金属材で形成されており、上端が開口した状態に形成されており、液状の着色樹脂からなるデザイン手段７が貯められている。
【００１３】  デザイン手段７は、印材１に発生したクラックに着色するものであり、印材１の内部に発生したクラックに紅水晶の色と異なる例えば青色や緑色の色を持ったものを含浸させることもでき、内部に発生したクラックを利用してデザイン性のある印材などの商品を提供することができるものである。デザイン手段７は、青色の硝酸コバルト又は緑色の硝酸銅が浸透のし易さで望ましいものであるが、他のものを用いても構わないものである。
【００１４】  第１の樹脂液タンク６は、合成樹脂材又は金属材で形成された真空ボックス８内に収納されており、電動ポンプ（図示せず）により真空ボックス８内を大気圧よりも低いマイナス１気圧の真空状態で２時間吸引し、印材１の内部のクラックにデザイン手段７を含浸できるようになっている。真空状態にすると印材１の内部のクラックに存在する空気が吸引されて印材１の内部のクラックにデザイン手段７が含浸できやすくなるものであり、印材１の広範囲に亘ってデザイン手段７を含浸させることが可能となり、デザイン性の高い印材とすることができるものである。
【００１５】  次に、図２を参照して印材１の表面に透明樹脂からなる保護手段９を被覆する加工方法について説明する。支持手段３は、上下動自在に第２の樹脂液タンク１０に設けられている。支持手段３は合成樹脂又は金属材で形成されており、６０ミリメートルの印材１を６０秒で０．２ミリメートル引き上げる移動手段１１に連結されている。
【００１６】  第２の樹脂液タンク１０は、合成樹脂材又は金属材で形成されており、上端が開口した状態に形成されており、液状の透明樹脂からなる保護手段９が貯められている。保護手段９は、アクリル系の樹脂１：水１の割合にしたものが、６０ミリメートルの印材１を６０秒で０．２ミリメートル引き上げることにより薄くも無く、厚くも無い適度なコーティングが可能であり、望ましい。
【００１７】  移動手段１１は、モーター（図示せず）と、該モーターに固定されたピニオンギヤ（図示せず）と、該ピニオンギヤが噛合するタイミングベルトなどで構成されており、移動手段１１に連結された連結部５を６０秒で０．２ミリメートル引き上げることができるようにモーターの回転数、ギヤ比が設定されており、印材１を６０秒で０．２ミリメートル引き上げることができるようになっており、均一に印材１の表面に保護手段９が被覆されるようになっている。連結部５には移動手段１１に連結する開口部１２が形成されている。
【００１８】  保護手段９を被覆した印材１は、３０℃〜４０℃の庫内で乾燥させると空気中の水分の影響を受けることなく透明度の高い一定のコーティングが可能となりコーティングの接着性能が高くなるものである。一定条件の庫内乾燥では無く、自然乾燥だと雨の日や夏などでは乾燥条件が異なり一定のコーティングができないものである。
【符号の説明】
【００１９】  １    印材
２    角柱部
３    支持手段
４    支持部
５    連結部
６    第１の樹脂液タンク
７    デザイン手段
８    真空ボックス
９    保護手段
１０    第２の樹脂液タンク
１１    移動手段
【図１】
2019034101.tif 000003
【図２】
2019034101.tif 000004
【図３】
2019034101.tif 000005